(57)【要約】【課題】カメラマウントに出没自在に設けられたピンの突出量を検出して、交換レンズの着脱を検出することにより、正確に交換レンズの装着を検出することができるカメラを提供する。【解決手段】交換レンズ１０がカメラ本体１４に装着され、カメラマウント１６のマウント面１６Ａから出没自在に設けられたロックピン２８がレンズマウント１２に形成されたピン穴３０に嵌入されて、ロックされると、ロックピン２８はピン穴３０の底面に当接して、カメラマウント１６のマウント面１６Ａから第２の突出量Ｘ２  をもって突出する。ロックピン２８の突出量が第２の突出量Ｘ２  となると、マイクロスイッチ４０がＯＮになり、交換レンズ１０がカメラ本体１４に装着されたことが検出される。【選択図】      図５
2004341265.tif 000002
【特許請求の範囲】
【請求項１】
カメラ本体に設けられたカメラマウントの指標の位置と交換レンズに設けられたレンズマウントの指標の位置とを合わせて互いのマウント面を密着させたのち、前記交換レンズを前記カメラ本体に対して所定角度回転させると、前記カメラマウントのマウント面から付勢手段に付勢されて出没自在に設けられた突起が、前記レンズマウントのマウント面に設けられた穴に嵌入されるとともに、前記レンズマウントに設けられたレンズ側バヨネット爪が、前記カメラマウントに設けられたカメラ側バヨネット爪に係合されて、前記交換レンズが前記カメラ本体に固定されるカメラにおいて、
前記レンズマウントが前記カメラマウントから取り外されると、前記カメラマウントのマウント面から第１の突出量をもって突出し、前記レンズマウントのマウント面が前記カメラマウントのマウント面に密着されると、前記レンズマウントのマウント面に押圧されて前記カメラマウントのマウント面から退避し、前記レンズマウントが前記カメラマウントに固定されると、前記カメラマウントのマウント面から突出して前記穴に嵌入されるとともに、該穴の底面に当接して前記カメラマウントのマウント面から第２の突出量をもって突出する前記突起と、
前記突起の突出量を検出する検出手段と、
前記検出手段で前記突起の突出量が前記第２の突出量となったことが検出されると、前記交換レンズが前記カメラ本体に固定されたと判定し、前記検出手段で前記突起の突出量が前記第２の突出量以外となったことが検出されると、前記交換レンズの固定が解除されたと判定する判定手段と、
を備えたことを特徴とするカメラ。
【請求項２】
前記判定手段で前記交換レンズが前記カメラ本体に固定されたと判定されると、カメラの電源をＯＮにし、前記判定手段で前記交換レンズの固定が解除されたと判定されると、カメラの電源をＯＦＦにする電源制御手段を備えたことを特徴とする請求項１に記載のカメラ。
【請求項３】
前記突起の外周面には検出子が当接され、該検出子は前記突起が前記カメラマウントのマウント面から前記第２の突出量をもって突出すると、前記突起の外周面に形成された凹部に落ち込み又は凸部に乗り上げて変位し、前記検出手段は、該検出子の変位を検出して、前記突起の突出量が前記第２の突出量となったことを検出することを特徴とする請求項１又は２に記載のカメラ。
【発明の詳細な説明】
【０００１】
【発明の属する技術分野】
本発明はカメラに係り、特にテレビカメラや一眼レフカメラのようにレンズ交換が可能なカメラに関する。
【０００２】
【従来の技術】
従来、テレビカメラや一眼レフカメラのようにレンズ交換が可能なカメラにおいて、カメラ本体に交換レンズが装着されたか否かの検出は、マウントに設けられた装着検出スイッチで行なっていた。この装着検出スイッチは、たとえばレンズ側のマウントに光軸方向に突出して設けられ、カメラ本体側のマウントが密着すると、そのカメラ本体側のマウントに押圧されてＯＮになり、交換レンズがカメラ本体に装着されたことが検出される（たとえば、特許文献１）。
【０００３】
また、このようにレンズ交換が可能なカメラでは、交換レンズがカメラ本体に装着されると、互いの電気接点が直接接続されて電源ラインが開設される構成となっている。しかし、このような構成のカメラの場合、交換レンズを装着しない状態でも常に電気接点が通電状態となっているため、信号ラインがショートしやすく、内部回路等が破壊されるおそれがあった。
【０００４】
このため、特許文献２では交換レンズをカメラ本体に装着後、交換レンズをカメラ本体に手動でロックするロックピンに連動させてカメラの電源を投入するようにしている。
【０００５】
【特許文献１】
特開２０００−２２７５４０号公報
【０００６】
【特許文献２】
特開昭６２−２６７７３２号公報
【０００７】
【発明が解決しようとする課題】
ところで、バヨネットマウントを用いて交換レンズをカメラ本体に装着するカメラの場合、その交換レンズの装着は、まず、交換レンズに設けられたレンズ側マウントを所定のレンズ交換位置でカメラ本体に設けられたカメラ側マウントに密着させ、その密着状態を保ったまま交換レンズを所定のレンズロック位置まで回転させて、交換レンズをカメラ本体に装着する。これにより、レンズ側マウントに設けられたレンズ側バヨネット爪とカメラ側マウントに設けられたカメラ側バヨネット爪とが係合し、交換レンズがカメラ本体に固定される。
【０００８】
このように、バヨネットマウントを用いたカメラでは、交換レンズがカメラ本体に完全に固定される前に互いのマウントが密着されるため、上述した従来の検出方法を用いて交換レンズの装着を検出すると、交換レンズがカメラ本体に完全に固定される前に交換レンズが装着されたと検出されてしまうという欠点があった。
【０００９】
また、カメラ本体に装着された交換レンズに電源を供給する際、特許文献２のように、手動式のロックピンの動作に連動させて供給する方式では、ロックを掛け忘れた場合などには、交換レンズに電源が供給されなくなり、使い勝手が悪いという欠点があった。
【００１０】
本発明は、このような事情に鑑みてなされたもので、正確に交換レンズの装着を検出することができるカメラを提供することを目的とする。
【００１１】
【課題を解決するための手段】
請求項１に係る発明は、前記目的を達成するために、カメラ本体に設けられたカメラマウントの指標の位置と交換レンズに設けられたレンズマウントの指標の位置とを合わせて互いのマウント面を密着させたのち、前記交換レンズを前記カメラ本体に対して所定角度回転させると、前記カメラマウントのマウント面から付勢手段に付勢されて出没自在に設けられた突起が、前記レンズマウントのマウント面に設けられた穴に嵌入されるとともに、前記レンズマウントに設けられたレンズ側バヨネット爪が、前記カメラマウントに設けられたカメラ側バヨネット爪に係合されて、前記交換レンズが前記カメラ本体に固定されるカメラにおいて、前記レンズマウントが前記カメラマウントから取り外されると、前記カメラマウントのマウント面から第１の突出量をもって突出し、前記レンズマウントのマウント面が前記カメラマウントのマウント面に密着されると、前記レンズマウントのマウント面に押圧されて前記カメラマウントのマウント面から退避し、前記レンズマウントが前記カメラマウントに固定されると、前記カメラマウントのマウント面から突出して前記穴に嵌入されるとともに、該穴の底面に当接して前記カメラマウントのマウント面から第２の突出量をもって突出する前記突起と、前記突起の突出量を検出する検出手段と、前記検出手段で前記突起の突出量が前記第２の突出量となったことが検出されると、前記交換レンズが前記カメラ本体に固定されたと判定し、前記検出手段で前記突起の突出量が前記第２の突出量以外となったことが検出されると、前記交換レンズの固定が解除されたと判定する判定手段と、を備えたことを特徴とするカメラを提供する。
【００１２】
本発明によれば、カメラマウントに出没自在に設けられた突起の突出量を検出して、交換レンズの着脱を検出する。すなわち、突起は交換レンズがカメラ本体に固定された場合にのみ第２の突出量をもってマウント面から突出するので、この突起の突出量が第２の突出量となったことを検出することにより、交換レンズがカメラ本体に装着されたことを検出することができる。
【００１３】
また、請求項２に係る発明は、前記目的を達成するために、前記判定手段で前記交換レンズが前記カメラ本体に固定されたと判定されると、カメラの電源をＯＮにし、前記判定手段で前記交換レンズの固定が解除されたと判定されると、カメラの電源をＯＦＦにする電源制御手段を備えたことを特徴とする請求項１に記載のカメラを提供する。
【００１４】
本発明によれば、突起の突出量が第２の突出量となり、判定手段でカメラ本体に交換レンズが固定されたと判定されると、カメラの電源がＯＮになる。そして、突起の突出量が第２の突出量以外の突出量となり、判定手段で交換レンズの固定が解除されたと判定されると、カメラの電源がＯＦＦになる。これにより、交換レンズの装着とカメラの電源とを連動させることができる。
【００１５】
また、請求項３に係る発明は、前記目的を達成するために、前記突起の外周面には検出子が当接され、該検出子は前記突起が前記カメラマウントのマウント面から前記第２の突出量をもって突出すると、前記突起の外周面に形成された凹部に落ち込み又は凸部に乗り上げて変位し、前記検出手段は、該検出子の変位を検出して、前記突起の突出量が前記第２の突出量となったことを検出することを特徴とする請求項１又は２に記載のカメラを提供する。
【００１６】
本発明によれば、突起の外周面に突起の突出量を検出するための検出子が当接される。この検出子は突起がカメラマウントのマウント面から第２の突出量をもって突出すると、突起の外周面に形成された凹部に落ち込み又は凸部に乗り上げて変位する。検出手段は、この検出子の変位を検出して、突起の突出量が第２の突出量となったことを検出する。
【００１７】
【発明の実施の形態】
以下、添付図面に従って本発明に係るカメラの好ましい実施の形態について詳説する。
【００１８】
図１は本発明に係るカメラのマウント構造を示す断面図である。同図に示すように、交換レンズ１０は、その基端部に設けられたレンズマウント１２をカメラ本体１４の正面部に設けられたカメラマウント１６に装着することにより、カメラ本体１４に装着される。
【００１９】
図２はレンズマウント１２の正面図であり、図３はカメラマウント１６の正面図である。図２、図３に示すように、レンズマウント１２とカメラマウント１６は、共に円環状に形成されている。各マウントには、それぞれ装着時に互いに密着されるマウント面１２Ａ、１６Ａが形成されている。
【００２０】
レンズマウント１２の先端には、図１及び図２に示すように、筒状の嵌合部１８がマウント面１２Ａから軸方向に突出して形成されており、その嵌合部１８の先端外周には、３つのレンズ側バヨネット爪２０Ａ、２０Ｂ、２０Ｃが所定の間隔をもって外径方向に突出して形成されている。
【００２１】
一方、カメラマウント１６の内周部には、図１及び図３に示すように、３つのカメラ側バヨネット爪２２Ａ、２２Ｂ、２２Ｃが所定の間隔をもって内径方向に突出して形成されている。
【００２２】
レンズマウント１２は、その外周に形成されたレンズ側指標２４をカメラマウント１６のマウント面１６Ａに形成されたカメラ側指標２６に合わせることにより、図４（ａ）に示すように、その３つのレンズ側バヨネット爪２０Ａ、２０Ｂ、２０Ｃをカメラマウント１６に形成された３つのカメラ側バヨネット爪２２Ａ、２２Ｂ、２２Ｃの間に通すことができる。そして、そのレンズ側バヨネット爪２０Ａ、２０Ｂ、２０Ｃをカメラ側バヨネット爪２２Ａ、２２Ｂ、２２Ｃの間に通すことにより、レンズマウント１２のマウント面１２Ａとカメラマウント１６のマウント面１６Ａとを互いに密着させることができる。
【００２３】
このようにレンズマウント１２のマウント面１２Ａとカメラマウント１６のマウント面１６Ａとを密着させた状態から交換レンズ１０を時計回りに所定角度回転させると、図４（ｂ）に示すように、カメラマウント１６に設けられた３つのカメラ側バヨネット爪２２Ａ、２２Ｂ、２２Ｃが、レンズマウント１２に設けられた３つのレンズ側バヨネット爪２０Ａ、２０Ｂ、２０Ｃに噛み合い、交換レンズ１０が抜け止めされる。
【００２４】
なお、カメラ側バヨネット爪２２Ａの背面には、所定位置にカメラ側ストッパ部２２ａが突出して形成されており、指標を合わせた位置から交換レンズ１０を時計回りに所定角度回転させると、レンズ側バヨネット爪２０Ａの一端に形成されたレンズ側ストッパ部２０ａが当接し、交換レンズ１０の回転（時計回りの回転）が規制される。
【００２５】
また、カメラ側ストッパ２２ａとレンズ側ストッパ２０ａとによって交換レンズ１０の回転が規制されると、カメラマウント１６のマウント面１６Ａから出没自在に設けられたロックピン２８がレンズマウント１２のマウント面１２Ａに形成されたピン穴３０に嵌入し、交換レンズ１０の回転がロックされる。これにより、交換レンズ１０がカメラ本体１４に固定されるとともに、交換レンズ１０に設けられたレンズ側電気接点３２とカメラ本体１４に設けられたカメラ側電気接点３４とが電気的に接続される。
【００２６】
ここで、カメラマウント１６のマウント面１６Ａから出没自在に設けられたロックピン２８は、図１に示すように、光軸Ｌと平行に配設されており、マウント面１６Ａに形成されたガイド穴３６から出没自在に設けられている。ガイド穴３６は光軸Ｌに沿って形成されており、内部が拡径して形成されている。このガイド穴３６の拡径部３６Ａには、ロックピン２８に形成された第１フランジ部２８Ａが摺動自在に支持されており、ロックピン２８は、この第１フランジ部２８Ａの端面をガイド穴３６の拡径部３６Ａ内に配置された圧縮バネ３８に押圧されて、マウント面１６Ａから突出する方向に付勢されている。
【００２７】
このように、圧縮バネ３８に付勢されてカメラマウント１６のマウント面１６Ａから出没自在に設けられたロックピン２８は、図５（ａ）に示すように、交換レンズ１０がカメラ本体１４から取り外されると、圧縮バネ３８に付勢されてマウント面１６Ａから突出する。このときロックピン２８は、その第１フランジ部２８Ａの端面が、ガイド穴３６の拡径部３６Ａの端面に当接することにより、カメラマウント１６のマウント面１６Ａから第１の突出量Ｘ１  をもって突出する。
【００２８】
また、レンズ側指標２４とカメラ側指標２６を合わせてレンズマウント１２のマウント面１２Ａとカメラマウント１６のマウント面１６Ａとを密着させると、図５（ｂ）に示すように、ロックピン２８は、レンズマウント１２のマウント面１２Ａに押されて、ガイド穴３６内に嵌入し、マウント面１６Ａから退避する。
【００２９】
マウント面１６Ａから退避したロックピン２８は、交換レンズ１０が所定角度回転されるまでガイド穴３６内に嵌入され、交換レンズ１０が所定角度回転されると、図５（ｃ）に示すように、レンズマウント１２のマウント面１２Ａに形成されたピン穴３０に突出して嵌入する。このときロックピン２８は、その先端部がピン穴３０の底面に当接することにより、カメラマウント１６のマウント面１６Ａから第２の突出量Ｘ２  （≠Ｘ１  ）をもって突出する。
【００３０】
このように、ロックピン２８は、レンズマウント１２に形成されたピン穴３０に嵌入されると、レンズマウント１２のマウント面１２Ａから第２の突出量Ｘ２  をもって突出する。したがって、このロックピン２８の突出量が第２の突出量Ｘ２  となったことを検出すれば、ロックピン２８がピン穴３０に嵌入されたことを検出でき、交換レンズ１０がカメラ本体１４に固定されたことを検出できる。そして、このロックピン２８の突出量が、第２の突出量Ｘ２  となったことの検出は、マイクロスイッチ４０を用いて次のように行なわれる。
【００３１】
図１に示すように、ロックピン２８の基端部には、マイクロスイッチ４０の検出子４０Ａが当接されている。この検出子４０Ａは、ロックピン２８に対して直交する方向に出没自在に設けられている。マイクロスイッチ４０は、この検出子４０Ａが突出すると、接点が開いてＯＦＦになり、没すると接点が閉じてＯＮになる。
【００３２】
一方、ロックピン２８の基端部外周には、２本の溝４２Ａ、４２Ｂが所定の間隔をもって形成されている。この溝４２Ａ、４２Ｂの内壁面は、それぞれテーパ状に形成されている。ロックピン２８が軸方向に移動すると、その基端部外周に形成された２本の溝４２Ａ、４２Ｂが移動し、その２本の溝４２Ａ、４２Ｂの位置に応じてマイクロスイッチ４０の検出子４０Ａが出没する。
【００３３】
ここで、ロックピン２８に形成された２本の溝４２Ａ、４２Ｂのうち基端部側の第１の溝４２Ａは、図５（ａ）に示すように、ロックピン２８が第１の突出量Ｘ１  をもってカメラマウント１６のマウント面１６Ａから突出したときに、検出子４０Ａが嵌入する位置に形成されている。
【００３４】
一方、先端部側の第２の溝４２Ｂは、図５（ｂ）に示すように、ロックピン２８がカメラマウント１６のマウント面１６Ａから退避したときに、検出子４０Ａが嵌入する位置に形成されている。
【００３５】
そして、この第１の溝４２Ａと第２の溝４２Ｂの間の凸部４４は、図５（ｃ）に示すように、ロックピン２８が第２の突出量Ｘ２  をもってカメラマウント１６のマウント面１６Ａから突出したときに、検出子４０Ａが当接する位置に形成されている。
【００３６】
このように、２本の溝４２Ａ、４２Ｂを形成することにより、マイクロスイッチ４０は、ロックピン２８の突出量が第２の突出量Ｘ２  となった時のみＯＮとなる。すなわち、マイクロスイッチ４０は、ロックピン２８の突出量が第２の突出量Ｘ２  となった場合のみ、その検出子４０Ａが第１の溝４２Ａと第２の溝４２Ｂの間の凸部４４に押されて没するので、この場合にのみＯＮとなる。
【００３７】
マイクロスイッチ４０がＯＮになると、カメラ本体１４の制御部４６にＯＮ信号が出力される。制御部４６は、このＯＮ信号を入力することにより、交換レンズ１０がカメラ本体１４に装着されたと判定し、カメラの電源を投入する。そして、カメラ側電気接点３４に接続されたレンズ側電気接点３２を介して交換レンズ１０に電源を供給する。
【００３８】
一方、マイクロスイッチ４０がＯＦＦになると、カメラ本体１４の制御部４６にＯＦＦ信号が出力される。制御部４６は、このＯＦＦ信号を入力することにより、交換レンズ１０がカメラ本体１４から取り外されたと判定し、カメラの電源をＯＦＦにする。
【００３９】
なお、交換レンズ１０の取り外しは、カメラ本体１４の正面部に設けられた図示しないレンズ取外しボタンを押すことにより行なわれる。このレンズ取外しボタンには押圧レバー４８が連結されており、レンズ取外しボタンを押すと、この押圧レバー４８が圧縮バネ３８の付勢力に抗してロックピン２８に形成された第２フランジ部２８Ｂを押圧する。これにより、ロックピン２８がマウント面１６Ａから強制的に退避され、交換レンズ１０のロックが解除される。この後、交換レンズ１０を反時計回りに所定角度回転させると、レンズ側指標２４とカメラ側指標２６の位置が一致し、カメラ本体１４から交換レンズ１０が取り外し可能になる。
【００４０】
また、レンズ取外しボタンを押して、ロックピン２８をマウント面１６Ａから退避させると、マイクロスイッチ４０がＯＦＦとなり、これにより、カメラの電源が自動的にＯＦＦになる。
【００４１】
前記のごとく構成された本実施の形態のカメラの作用は次のとおりである。
【００４２】
図５（ａ）に示すように、交換レンズ１０がカメラ本体１４から取り外されているとき、ロックピン２８は、カメラマウント１６のマウント面１６Ａから第１の突出量Ｘ１  をもって突出する。このとき、マイクロスイッチ４０の検出子４０Ａは、ロックピン２８の基端部外周に形成された第１の溝４２Ａに嵌入され、突出状態となる。したがって、マイクロスイッチ４０はＯＦＦ状態となる。
【００４３】
いま、交換レンズ１０のレンズ側指標２４とカメラ本体１４のカメラ側指標２６とを合わせて、レンズマウント１２のマウント面１２Ａをカメラマウント１６のマウント面１６Ａに密着させると、そのレンズマウント１２のマウント面１２Ａにロックピン２８の先端が押されて、ロックピン２８がマウント面１６Ａから退避する。このとき、マイクロスイッチ４０の検出子４０Ａは、ロックピン２８の基端部外周に形成された第２の溝４２Ｂに嵌入され、突出状態となる。したがって、このときもマイクロスイッチ４０はＯＦＦ状態となる。
【００４４】
この状態から交換レンズ１０を時計回りに所定角度回転させると、レンズ側ストッパ２０ａがカメラ側ストッパ２２ａに当接し、交換レンズ１０の回転が規制される。そして、これと同時にロックピン２８がピン穴３０に嵌入され、交換レンズ１０がカメラ本体１４に固定される。また、これと同時に交換レンズ１０に設けられたレンズ側電気接点３２が、カメラ本体１４に設けられたカメラ側電気接点３４に接続される。
【００４５】
一方、ロックピン２８がピン穴３０に嵌入されて交換レンズ１０がカメラ本体１４に固定されると、マイクロスイッチ４０の検出子４０Ａが、溝４２Ａと溝４２Ｂとの間の凸部４４に乗り上げ、没状態となる。この結果、マイクロスイッチ４０がＯＮになり、制御部４６にＯＮ信号が出力される。制御部４６は、このＯＮ信号を入力することにより、カメラの電源を投入し、カメラ側電気接点３４に接続されたレンズ側電気接点３２を介して交換レンズ１０に電源を供給する。
【００４６】
なお、レンズマウント１２のマウント面１２Ａとカメラマウント１６のマウント面１６Ａを密着させたあと、交換レンズ１０を所定角度回転させて、ロックピン２８をピン穴３０に嵌入させるまでの間、ロックピン２８はレンズマウント１２のマウント面１２Ａに押された状態のままになる。したがって、この間、マイクロスイッチ４０の検出子４０Ａは第２の溝４２Ｂに嵌入されたままとなり、マイクロスイッチ４０はＯＦＦのままの状態となる。
【００４７】
交換レンズ１０をカメラ本体１４から取り外す場合は、カメラ本体１４に設けられた図示しないレンズ取外しボタンを押す。これにより、カメラマウント１６のマウント面１６Ａからロックピン２８が退避し、交換レンズ１０のロックが解除される。この状態で交換レンズ１０を反時計回りに所定角度回転させると、レンズ側指標２４がカメラ側指標２６の位置まで移動し、カメラ本体１４から交換レンズ１０が取り外し可能になる。
【００４８】
なお、マイクロスイッチ４０は、レンズ取外しボタンを押し、ロックピン２８をカメラマウント１６のマウント面１６Ａから退避させた段階で検出子４０Ａが第２の溝４２Ｂに嵌合してＯＦＦになる。そして、このマイクロスイッチ４０がＯＦＦになることにより、制御部４６はカメラの電源をＯＦＦにする。
【００４９】
また、レンズ取外しボタンを押した後、交換レンズ１０を反時計回りの方向に回転させると、ガイド穴３６はレンズマウント１２のマウント面１２Ａによって塞がれるため、レンズ取外しボタンの押圧を解除してもロックピン２８はガイド穴３６内に退避したままとなる。したがって、交換レンズ１０を回転させている間もマイクロスイッチ４０の検出子４０Ａは第２の溝４２Ｂに嵌入されたままとなり、マイクロスイッチ４０はＯＦＦのままの状態となる。
【００５０】
また、交換レンズ１０をカメラ本体１４から取り外すと、ロックピン２８はカメラマウント１６のマウント面１６Ａから突出するが、この場合、ロックピン２８は第１の突出量Ｘ１  をもって突出することから、マイクロスイッチ４０はＯＦＦとなる。
【００５１】
このように、本実施の形態のカメラによれば、交換レンズ１０がカメラ本体１４に完全に固定された場合にのみカメラの電源が投入されるので、交換レンズ１０の装着を正確かつ確実に検出することができる。
【００５２】
また、このように交換レンズ１０の装着を確認した後、カメラの電源を投入するため、交換レンズ１０が外されている場合であっても、カメラ側電気接点３４のショート等を防止でき、内部回路を確実に保護できる。
【００５３】
なお、本実施の形態では、交換レンズ１０の着脱に連動してカメラの電源をＯＮ／ＯＦＦさせているが、交換レンズ１０の装着のみを検出する構成してもよい。たとえば、交換レンズ１０が装着されると（マイクロスイッチＯＮ）、カメラ本体１４に設けたＬＥＤランプが点灯し、交換レンズ１０が外されると（マイクロスイッチＯＦＦ）、消灯する構成にしてもよい。
【００５４】
また、本実施の形態では、ロックピン２８の基端部外周に２本の溝４２Ａ、４２Ｂを形成し、ロックピン２８の突出量が第２の突出量Ｘ２  になると、その２本の溝４２Ａ、４２Ｂの間の凸部４４にマイクロスイッチ４０の検出子４０Ａが乗り上げて、マイクロスイッチ４０がＯＮになるように構成しているが、図６に示すように、ロックピン２８の基端部外周に溝４２Ｃを１本形成し、ロックピン２８の突出量が第２の突出量Ｘ２  になると、その溝４２Ｃにマイクロスイッチ４０の検出子４０Ａが嵌入して、マイクロスイッチ４０がＯＮになるように構成してもよい。この場合、マイクロスイッチ４０は、検出子４０Ａが溝４２Ｃに嵌入して突出するとＯＮとなる。
【００５５】
さらに、本実施の形態では、マイクロスイッチ４０を用いてロックピン２８が第２の突出量になったことを検出するようにしているが、ロックピン２８の突出量を検出する手段は、これに限定されるものではない。たとえば、ロックピン２８の基端部端面の移動量を検出する検出器を設け、この検出器の検出結果に基づいてロックピン２８の突出量が第２の突出量となったことを検出するようにしてもよい。
【００５６】
また、本発明は、テレビカメラや一眼レフカメラのように、バヨネットマウントを使用する全てのカメラに適用することができる。
【００５７】
【発明の効果】
以上説明したように、本発明によれば、カメラマウントに出没自在に設けられたピンの突出量を検出して、交換レンズの着脱を検出するので、交換レンズがカメラ本体に装着されたことを正確に検出することができる。
【図面の簡単な説明】
【図１】本発明に係るカメラのマウント構造を示す側面断面図
【図２】レンズマウントの正面図
【図３】カメラマウントの正面図
【図４】レンズマウントとカメラマウントの結合状態を示す正面断面図
【図５】本発明に係るカメラの作用の説明図
【図６】本発明に係るカメラの他の実施の形態の作用の説明図
【符号の説明】
１０…交換レンズ、１２…レンズマウント、１２Ａ…マウント面、１４…カメラ本体、１６…カメラマウント、１６Ａ…マウント面、１８…嵌合部、２０Ａ、２０Ｂ、２０Ｃ…レンズ側バヨネット爪、２２Ａ、２２Ｂ、２２Ｃ…カメラ側バヨネット爪、２４…レンズ側指標、２６…カメラ側指標、２８…ロックピン、３０、２８Ａ…第１フランジ部、２８Ｂ…第２フランジ部、３０…ピン穴、３２…レンズ側電気接点、３４…カメラ側電気接点、３６…ガイド穴、３８…圧縮バネ、４０…マイクロスイッチ、４０Ａ…検出子、４２Ａ、４２Ｂ、４２Ｃ…溝、４４…凸部、４６…制御部
【図１】
2004341265.tif 000003
【図２】
2004341265.tif 000004
【図３】
2004341265.tif 000005
【図４】
2004341265.tif 000006
【図５】
2004341265.tif 000007
【図６】
2004341265.tif 000008